(57)【要約】【課題】  上部に突出部(6)を有しその先端に液体流出口(5)が開口してなり、胴部(2)が可撓性である液体充填用容器薬液において、薬液の塗布直後や容器の放置時において、液体流出口(5)から液ダレが生じない液体充填用容器を開発すること。【解決手段】  胴部内空部(7)と液体流出口(5)とを、途中で拡径して液溜め室(10)が形成されてなる小口径の液体流通路(8)により連通し、該液溜め室(10)には、液体流通路(8)よりも口径が大きい復動部材(11)を水平に遊嵌させ、さらに、該複動部材(11)の上面および側壁には、該復動部材(11)が液溜め室(10)内を上昇してその上面が液溜め室(10)の上壁に当接した際に、該液溜め室(10)とこれより上方の液体流通路(8b)とを連通させる液体流通用溝(13)を形成する。【選択図】  図１
2005138900.tif 000002
【特許請求の範囲】
【請求項１】
上部に突出部を有しその先端に液体流出口が開口してなり、胴部が可撓性である液体充填用容器であって、胴部内空部と液体流出口とは、途中で拡径して液溜め室が形成されてなる小口径の液体流通路により連通しており、該液溜め室には、液体流通路よりも口径が大きい復動部材が水平に遊嵌されており、さらに、該複動部材の上面および側壁には、該復動部材が液溜め室内を上昇してその上面が液溜め室の上壁に当接した際に、該液溜め室とこれより上方の液体流通路とが連通するように液体流通用溝が形成されてなる液体充填用容器。
【請求項２】
復動部材の下面から支持棒部が、液溜め室の下方の液体流通路に遊挿された態様で垂下している請求項１記載の液体充填用容器。
【請求項３】
復動部材が、充填される液体の１．１〜２倍の比重を有する合成樹脂により形成されている請求項１または請求項２に記載の液体充填用容器。
【請求項４】
液溜め室内の上壁と復動部材の上面との間に、上下方向に伸縮する弾発体を介設してなる請求項１〜３のいずれか一項に記載の液体充填用容器。
【請求項５】
弾発体が、コイルばねである請求項４に記載の液体充填用容器。
【発明の詳細な説明】
【技術分野】
【０００１】
本発明は、液体充填用容器、詳しくは、先端に液体流出口が開口する突出部を上部に有しており、充填される液体を少量ずつ流出させることができる液体充填用容器に関する。
【背景技術】
【０００２】
歯科用接着剤や各種の治療薬等の種々の薬液を充填する容器として、図７の断面図に示すような、上部に突出部（６）を有しその先端に液体流出口（５）が開口してなり、胴部（２）が可撓性である液体充填用容器（１）が知られている。こうした液体充填用容器では、容器（１）を胴部（２）を手で圧縮することにより、胴部内空部（７）に充填された薬液（３）を、上部突出部（６）の先端に設けられた液体流出口（５）より少量ずつ流出させることができ、容器（１）を必要角度に傾斜させて使用することにより薬液を目的箇所に所望量だけ塗布や落滴させることができる。
【０００３】
かかる液体充填用容器において、薬液を、より少量ずつ流出させようとすると、突出部（６）は、ノズル状に細くしなければならず、その場合、薬液（３）は、内部の小口径の液体流通路（８）を通って、先端の液体流出口より排出されることになる。
【発明の開示】
【発明が解決しようとする課題】
【０００４】
ところが、このような液体充填用容器では、薬液（３）の塗布や落滴に使用した直後において、胴部（２）の押圧を弱め、傾斜させていた容器（１）を垂直に立てようとすると、液体流出口（５）に余剰に流出していた薬液の液滴（14）が、突出部（６）の外壁を伝って流下したり、落滴する問題（以下、これらの現象を「液ダレ」とも称する）があった。
【０００５】
また、容器（１）の放置時においても、先端の液体流出口（５）より薬液が徐々に漏出し、上記液ダレが生じる問題があった。これは、容器の使用時において、胴部（２）の圧縮が回復するに伴って容器内に外気が吸い込まれてしまい、これが周囲の温度変化により膨張して容器外に抜け出す際に、液体流通路（８）内に残留している薬液を押し出すことで生じると考えられる。
【０００６】
これらの液ダレは、充填される薬液が粘性の高いものであったり、充填される薬液自身も揮発性が高く気化し易いものの場合には特に顕著に生じていた。
【０００７】
こうしたことから、該液ダレの発生を防止するために、容器（１）の放置時は、突出部（６）の先端にキャップを被嵌することが行われている。しかし、この方法では、前記した薬液の塗布直後の液ダレの発生を防止する策にはならず、また、容器（１）放置時においても、容器内に取り込まれた空気が、該液体流出口（８）の近傍に滞留していることがあり、使用に際して、キャップを外すと、これが一気に噴出して、上記液体流通路（８）内に残留している薬液を激しく吐出させてしまうことがあった。
【０００８】
以上から、薬液の塗布直後や容器の放置時において、液体流出口から液ダレが生じず、簡単な構造で操作性に優れる液体充填用容器を開発することが望まれていた。
【課題を解決するための手段】
【０００９】
本発明によると、上記の課題は、次のようにして解決される。
〔１〕上部に突出部を有しその先端に液体流出口が開口してなり、胴部が可撓性である液体充填用容器において、胴部内空部と液体流出口とを、途中で拡径して液溜め室が形成されてなる小口径の液体流通路により連通し、該液溜め室には、液体流通路よりも口径が大きい復動部材を水平に遊嵌させ、さらに、該複動部材の上面および側壁には、該復動部材が液溜め室内を上昇してその上面が液溜め室の上壁に当接した際に、該液溜め室とこれより上方の液体流通路とが連通するように液体流通用溝を形成する。
〔２〕上記〔１〕項において、復動部材の下面から支持棒部を、液溜め室の下方の液体流通路に遊挿された態様で垂下させる。
〔３〕上記〔１〕項または〔２〕項において、復動部材を、充填される液体の１．１〜２倍の比重を有する合成樹脂により形成する。
〔４〕上記〔１〕項〜〔３〕項のいずれか一項において、液溜め室内の上壁と復動部材の上面との間に、上下方向に伸縮する弾発体を介設させる。
〔５〕上記〔４〕項において、弾発体として、コイルばねを使用する。
【発明の効果】
【００１０】
本発明の液体充填用容器は、薬液の塗布直後や容器の放置時において、液体流出口から液ダレが生じず、液の流出性も損なわれておらず、操作性にも優れる。
【００１１】
特に、容器の液溜め室内に遊嵌される復動部材の下面に、液溜め室の下方の液体流通路に遊挿された態様で支持棒部を延設した場合には、上記液ダレ防止の効果がより安定的に発揮される。
【００１２】
また、この復動部材を、充填する液体の１．１〜２倍の比重を有する合成樹脂により形成した場合には、こうした液ダレの防止効果はより顕著に発揮されて好ましい。
【００１３】
また、液溜め室内の上壁と復動部材の上面との間に、上下方向に伸縮する弾発体を介設させた場合には、容器を傾斜させた後、実際に薬液を流出させるまでに時間を要したり、或いは薬液を流出させた後、容器を直ぐに立てない際にも、傾斜したままの容器の液体流出口から液滴が生じ難く好ましい。
【００１４】
特に、この弾発体がコイルばねの場合には、液溜め室内における薬液の流通性がほとんど損なわれず、胴部を押圧した際の液体流出口からの薬液の流出が円滑に行えて好ましい。
【００１５】
したがって、本発明の液体充填用容器は、歯科用接着剤や各種の治療薬等の薬液を必要箇所に所望量だけ塗布や落滴することが求められる場合において、その充填用容器として有用に使用される。
【発明を実施するための最良の形態】
【００１６】
以下、本発明の代表的態様を添付図面により詳細に説明する。
【００１７】
図１の縦断面図において、液体充填用容器（１）の胴部（２）は可撓性であり、手で狭持して押圧することにより圧縮することができる。また、上方がテーパー状に縮径されてネック部（４）が形成されており、その上面に、先端に液体流出口（５）が開口する突出部（６）が設けられている。液体流出口（５）と胴部内空部（７）とは、小口径の液体流通路（８）により連通している。したがって、上記のごとくに胴部（２）を押圧した際には、内空部に充填される薬液（３）は、該液体流通路（８）内に流入し、液体流出口（５）に向かって圧送される。
【００１８】
容器（１）の容量は、特に制限されるものではないが、通常は、１〜１０００ｍｌ程度であり、薬液を充填する場合は３〜１０ｍｌが一般的である。突出部（６）の突出長さは、液体流出口（５）から流出される液の塗布目的に応じて、操作し易いように適宜に設定すれば良いが、一般には０．５〜５ｃｍから採択され、上記薬液を充填する小容器の場合は０．５〜１ｃｍ好ましい。液体流出口（５）の口径は、０．３〜５ｍｍ、特に、０．５〜３ｍｍが好ましい。
【００１９】
なお、突出部（６）は、胴部（２）と一体に形成しても良いが、薬液（３）の充填が自在に行えるように、容器（１）におけるネック部（４）の上面は開口させ、そこに嵌め込む閉塞部材（９）に、前記構造のものとして設けるのが好ましい。
【００２０】
液体充填用容器（１）において、小口径の液体流通路（８）は、途中で拡径して液溜め室（10）が形成されている。本発明の最大の特徴は、この液溜め室（10）に、液体流通路（８）よりも口径が大きい復動部材（11）を水平に遊嵌した点にある。ここで、復動部材（11）は、液溜め室よりも口径が小さく、且つ上記したように該液溜め室の上方および下方の液体流通路よりも口径が大きい板状、柱状等の部材であり、上面および下面が水平な平面として液溜め室（10）に遊嵌される。
【００２１】
また、この復動部材（11）は、その上面および側壁に、該部材が液溜め室（10）内を上昇して上面が液溜め室（10）の上壁に当接した際に、該液溜め室（10）とこれより上方の液体流通路（8b）（以下、この流通路を「液体流通上方路」とも称する）とが連通するように液体流通用溝（13）が形成されている。
【００２２】
なお、この復動部材（11）には、その下面から支持棒部(12)を垂下させるのが好ましい。この支持棒部(12)は、口径が、液溜め室より下方の液体流通路（8a）（以下、この流通路を「液体流通下方路」とも称する）の口径よりも小さく、ここに遊挿されて、復動部材（11）の液溜め室（10）内での上下動の安定性を良好にする効果を発揮する。
【００２３】
液溜め室（10）の容積は、通常、胴部内空部（７）の容積の０．５〜１０％が好ましく、特に１〜３％が好ましい。液体流通路（８）の口径は、液体流通下方路（8a）および液体流通上方路（8b）とも、前記液体流出口（５）の口径と同様に０．３〜５ｍｍの範囲が好ましい。通常は、液体流通上方路（8b）は液体流出口（５）の口径とほぼ同じ口径であるのが好ましく、他方、液体流通下方路（8a）も同様であるが、前記したように復動部材（11）の支持棒部（12）を遊嵌させる場合には、これよりも、この遊嵌分を考慮した太い口径であるのが好ましい。
【００２４】
液体流通上方路（8b）の長さは、液体流出口（５）の口径の５〜１０倍、特に６〜９倍が好ましく、液体流通下方路（8a）は、復動部材（11）の口径の１〜５倍、特に、２〜３倍の長さであるのが好ましい。また、復動部材（11）に支持棒部（12）を設ける場合、その長さは、後述するように該部材が薬剤（３）の液圧に押されて上昇して復動部材（11）の上面が液溜め室（10）上壁に当接した際に、液体流通下方路（8a）から抜け出さないように、該液溜め室（10）の縦方向の長さよりも長いことが必要であり、好適にはこの長さの１．２〜３倍の長さを有しているのが好ましい。また、支持の安定性から、液体流通下方路（8a）の長さよりも少し長くするのが好ましい。
【００２５】
こうした構造の液体充填用容器（１）であれば、以下説明するように、充填された薬液（３）等の液体を液体流出口（５）より流出させた直後において、液ダレが生じることが大きく抑制される。さらに、その後の容器の放置時においても、液ダレは生じることがほとんどない。
【００２６】
上記構造の液体充填用容器（１）において、胴部（２）を押圧して液体流出口（５）から薬液（３）を流出させた際の容器内部の動作は、図２の突出部（６）近傍の拡大縦断面図に示すようになる。すなわち、胴部（２）が押圧されると、胴部内空部（７）に充填される薬液（３）は液体流通路（８）内に流入し上方に流れる。このとき、液体流通下方路（8a）には、復動部材（11）の支持棒部（12）が遊挿されているが、薬液（３）は、両者の間隙を流れる。
【００２７】
この流れが十分確保できるように、液体流通下方路（8a）を上方視した際に、その周壁と復動部材（11）の支持棒部（12）側壁との間隙からなる開口部の総面積は、液体流通上方路（8b）の開口面積とほぼ同じ、具体的には該液体流通上方路（8b）の開口面積の０．９〜１．１倍の範囲であるのが好ましい。
【００２８】
この薬液（３）の流れは、容器（１）が立設、或いはそれに近い状態である場合には、液体流通下方路（8a）から液溜め室（10）への開口部が、復動部材（11）の下面により塞がれているため、一旦遮られる（容器（１）が、突出部（６）を下方に向けて傾斜している場合には、復動部材（11）は、突出部（６）の先端方向に向かって移動している）。しかし、復動部材（11）の口径は、液溜め室（10）よりも口径が小さく遊嵌された状態であるため、液圧が高いと該部材は簡単に持ち上がる。そして、薬液（３）は、この持ち上がった間隙から液溜め室（10）内に流入する。
【００２９】
復動部材（11）は、薬液（３）の液圧に押されて液溜め室（10）内をほぼ直上に上昇し、上面が該液溜め室（10）の上壁に当接されるに至る。この時、液溜め室（10）の上壁に設けられた液体流通上方路（8b）の開口は、該復動部材（11）の上面により閉塞される。しかしながら、復動部材（11）の上面および側壁には、前記したように液溜め室（10）と液体流通上方路（8b）とが連通するように液体流通用溝（13）が形成されているため、液溜め室（10）内に流入した薬液（３）は、液留め室（10）の周壁と復動部材（11）の側壁とで形成される間隙、更には、この液体流通用溝（13）を通って、該液体流通上方路（8b）に流入する。かくして、本発明の液体充填用容器（１）では、胴部（２）の押圧の程度に応じて、液体流出口（５）から所望量の薬液（３）を流出させることができる。
【００３０】
なお、この液体充填用容器（１）内の薬液（３）の流れが十分確保できるように、液留め室（10）を上方視した際に、その周壁と復動部材（11）の側壁とで形成される間隙からなる開口部の総面積は、液体流通上方路（8b）の開口面積とほぼ同じ、具体的には、該液体流通上方路（8b）の開口面積の０．９５〜１．１倍の範囲であるのが好ましい。こうした間隙は、液留め室（10）の内壁に沿って均一の間隔で設けても良いが、復動部材（11）の周縁の一部を上方視して弓形等に大きく切り欠いて確保しても良い。
【００３１】
また、復動部材（11）上面において液体流通用溝（13）は、該復動部材の外端と、液体流通上方路（8b）の下方に当たる位置までとを少なくとも連絡して走る溝であれば良い。その形成本数は、少なくとも一本形成されていれば良いが、復動部材（11）の中心から複数本を放射状に走らせたりして２本以上形成しても良い。溝の縦断面積は、液体流通上方路（8b）の開口面積とほぼ同じであるのが好ましく、溝が２本以上形成されている場合は、その総和として該面積が確保されているのが好ましい。溝の断面形状は、凹状、Ｖ字状、Ｕ字状等の如何なる形状であっても良い。
【００３２】
さらに、該復動部材（11）の上面において、その中心付近には、液体流通上方路（8b）の開口に遊嵌可能な口径の凸部を形成するのも好ましい態様である。こうした凸部は、復動部材（11）が液溜め室（10）の上壁に当接された際に、該部の固定の確実性を高めるのに有効に機能する。
【００３３】
次に、液体充填用容器（１）において、胴部（２）の押圧を止め、液体流出口（５）からの薬液（３）の流出を停止した際の容器内部の動作は、図３の突出部（６）近傍の拡大断面図に示すようになる。すなわち、胴部（２）の押圧を弱めると、液体流通路（８）を流れる薬液（３）の液圧は低下する。したがって、薬液の流出のため傾斜させていた容器（１）を垂直に立てようとすると、液溜め室（10）内において、上面が該液溜め室の上壁に当接されるまで上昇していた復動部材（11）は、すぐに下降を始める。この復動部材（11）の下降により、液溜め室（10）内に貯留される薬液のほとんどは、液体流通下方路（8a）に押し戻され、さらに、上方の液体流通路（8ｂ）内に存在する薬液（３）も、この下降流に追随して下方に流下する。したがって、液体流出口（５）から余剰に流出していた薬液の液滴（14）にも、この力が強くかかり、該液滴は容器内にすぐに引き込まれる。その結果、容器（１）では使用直後において液ダレの発生が防止される。
【００３４】
また、復動部材（11）は、液溜め室（10）の下壁に達するまで低下するため、液体流通下方路（8a）は塞がれてしまう。したがって、容器内に吸い込まれた外気が、容器放置時の温度変化により膨張しても、該復動部材（11）を押し上げるほどに、その内圧が高まらない限りは、液溜め室（10）へはほとんど流れない。したがって、流入した外気の容器外への抜け出し量は大幅に抑えられ、その結果、容器（１）では、容器放置時の液ダレもほとんど生じない。
【００３５】
次に、本発明の液体充填用容器の別の好適な態様を説明する。
【００３６】
前記構造の液体充填用容器（１）では、容器を傾斜させた後、薬液（３）を流出させた後、容器を直ぐに立てない場合には、傾斜したままの容器（１）の液溜め室（10）内において、復動部材（11）は、液溜め室（10）の上壁に当接した状態のままで下降しない。したがって、上述した復動部材（11）の下降による本発明の効果は発揮されず、こうした場合には、液体流出口（５）から余剰に流出していた薬液の液滴（14）は容器内に引き込まれずに落滴し易い。しかも、液溜め室（10）内には薬液（３）が充満しているため、この落滴はさらに続発し易い。
【００３７】
こうした落滴を防止するためには、図４の縦断面図に示すように液体充填用容器（１）では、液溜め室（10）内の上壁と復動部材（11）の上面との間に、上下方向に伸縮する弾発体（15）を介設させるのが好ましい。すなわち、こうした弾発体（15）は、胴部（２）を押圧して液体流出口（５）に向かって薬液（３）を圧送する場合には、図５の拡大縦断面図に示すように、復動部材（11）の上昇に応じて収縮する。そして、復動部材（11）が上昇すると、薬液（３）は、液体流通下方路（8a）から液溜め室（10）、さらには液体流通用溝（13）を流れて、液体流通上方路（8b）に流入する。その一方で、このようにして収縮した弾発体（15）は、胴部（２）の押圧を止めて液体流通路（８）を流れる薬液（３）の液圧を低下させると、すぐに拡張する。すなわち、図６の拡大縦断面図に示すように、復動部材（11）は容器（１）が傾斜したままでも、該拡張する弾発体（15）に押されて下降し、液体流通下方路（8a）の開口を塞いでしまう。その結果、容器（１）が傾斜した状態でも、前記した本発明の効果は良好に発揮され、液体流出口（５）からの落滴の問題は大きく改善される。
【００３８】
また、こうした容器では、保存中に容器が誤って倒れた場合にも、液体流通下方路（8a）の開口部は、弾発体（15）により抑えられた復動部材（11）により塞がれたままなので、充填される薬液（３）は、液溜め室（10）内に流入せず、その結果、容器外へも漏出し難く好ましい。
【００３９】
なお、かかる液溜め室（10）内の上壁と復動部材（11）の上面との間に弾発体（15）を介設させる構成は、復動部材（11）が充填する薬剤（３）よりも軽かったり、比重差があまりなく液溜め室（10）内において復動部材（11）が自重によりスムーズに下降し難い場合にも、本発明の効果を良好に発揮させることができて好ましい。また、このように弾発体（15）を介設させる場合には、前記した態様のように復動部材（11）の下面に支持棒部（12）を設けなくても、該復動部材（11）は、液溜め室（10）内において安定性良く上下動するため好ましい。
【００４０】
この弾発体（15）は、伸縮性を有する素材であれば制限なく使用でき、具体的には、コイルばね、渦巻きばね、板ばね等のばね材やゴム材、発泡体等が使用できる。液溜め室（10）内で薬液（３）の流通性をできるだけ損なわないものが好ましく、この意味から、コイルばねが特に好ましい。
【００４１】
本発明において、容器（１）の材質は、胴部が手で挟持して圧縮できる程度の可撓性を備えるものになるものであれば制限なく採択できる。一般には、ポリエチレン、ポリプロピレン等のポリオレフィン；ポリアセタール；アクリロニトリル−ブタジエン−スチレン樹脂（ABS樹脂）などの合成樹脂が好ましい。また、遮光性、ガスバリア性を持たせたポリエチレン−ABS−ポリエチレン等の３層構造を有する材質で容器を形成しても良い。
【００４２】
また、復動部材（11）の材質は、充填する薬剤（３）よりも大きい比重を有している一定の剛性を備えたものであれば特に制限なく採択できる。前記した液溜め室（10）内に弾発体（15）を設ける場合は、復動部材（11）の材質は、薬剤（３）よりも小さい比重を有するものも使用可能である。液溜め室（10）内における該復動部材（11）の上下動の円滑さからは、比重（ ２５℃）が１．３〜２．４の合成樹脂であるのが好ましい。特に、充填する液体の１．０５〜３倍、特に１．１〜２倍の比重を有する合成樹脂が好適であり、充填する液が後述するアクリル系モノマーを主成分とするものである場合にはポリアセタールが最適である。
【００４３】
本発明の容器に充填する液体は、種々の有機溶媒、重合性単量体、水等の液体を主成分とし、これに目的に応じた有効成分が溶解された薬液等が特に制限なく使用できる。前記したように液ダレが生じ易く、本発明の効果が顕著に発揮されることから、粘性が高い液が好ましく、具体的には、Ｅ型粘度計で測定した粘度（２３℃）が０．３〜２０ポイズ、好ましくは１０〜１８ポイズである液が好ましい。また、沸点が４０℃以上で気化し易いアセトン等の有機溶媒を主成分とするものにも有効である。
【００４４】
本発明において、特に好ましい充填液体は、上記粘度を有する、アクリル系重合性単量体を主成分とする薬液である。極少量を細かい箇所に塗布しなければならず、液ダレがその塗布の操作性を低下させることから、上記粘性を有する歯科用接着剤が最も好ましい。
【００４５】
以下、本発明を挙げて本発明をさらに詳しく説明するが、本発明はこれらの実施例に限定されるものではない。
【００４６】
実施例１
図１に示したポリエチレン−ABS−ポリエチレン３層構造から成る液体充填用容器（１）に、E型粘度計で測定した粘度（２３℃）が１３ポイズであるアクリル系重合性単量体を主成分とする液体からなる歯科用接着剤を、その胴部内空部（７）にほぼ一杯に充填した。
【００４７】
なお、液体充填用容器（１）は、胴部内空部（７）の容積は５ｍｌであり、突出部（６）の突出長さは０．６５ｃｍであり、液体流出口（５）の口径は１．２ｍｍであった。液体流通下方路（8a）の口径は２．４ｍｍであり、その長さは９．０ｍｍであり、他方、液体流通上方路（8b）の口径は１．２ｍｍであり、その長さは８．０ｍｍであった。液溜め室（10）の容積は０．０７ｍｌであり、その縦方向の長さは３．５ｍｍであった。復動部材（11）の口径は４．１ｍｍであり、支持棒部（12）の長さは１１ｍｍであった。
【００４８】
さらに、液留め室（10）を上方視した際に、その周壁と復動部材（11）側壁とで形成される間隙からなる開口部の総面積は、液体流通上方路（8b）の開口面積と等倍であった。同様に、液溜め室（10）より液体流通下方路（8a）を上方視した際に、その周壁と復動部材（11）の支持棒部（12）側壁とで形成される間隙からなる開口部の総面積も、液体流通上方路（8b）の開口面積と等倍であった。
【００４９】
復動部材（11）はポリアセタール製であり、液体の比重（２５℃）は１．１７であり、充填した液体の１．２倍の値を有していた。
【００５０】
２５℃の室内下において、上記液体充填用容器（１）の胴部（２）を手で挟持し、突出部（６）の先端を下方に向けた後、該胴部（２）を押圧して圧縮し、液体流出口（５）から薬液（３）を１滴落下させた。落下後において、液体流出口（５）には、余剰の薬液の液滴（14）が突出していた。この状態ですぐに、胴部（２）を挟持する指の力は変化させないで、容器（１）を立てて突出部（６）の先端を上方に向け、上記液体流出口（５）から突出する液滴（14）の様子を観察したところ、該液滴（14）は、容器（１）を立てる過程で突出部（６）内に引き込まれた。同様の実験を５回繰り返したが、いずれの場合も、液滴（14）は突出部（６）内に引き込まれた。
【００５１】
次に、上記試験後、液体充填用容器（１）を４℃の冷蔵庫に収納した。１時間経過後、冷蔵庫より２５℃の室内に取り出し、直後に、胴部（２）を押圧して圧縮し、液体流出口（５）から薬液（３）を１滴落下させ、突出部（６）の先端をティッシュペーパーにより拭いて余剰の液滴（14）を除去した。その後、容器（１）を立てた状態で台上に1時間放置し、この期間に突出部（６）の先端に液ダレが生じるか観察したところ、液ダレは全く生じなかった。同様の実験を５回繰り返したが、いずれの場合も、液ダレが生じる結果であった。
【００５２】
比較例１
実施例１において、液体充填用容器として図１に示したものに代えて、図７示したものを用いる以外は、同様に実施した。なお、図７の液体充填用容器において、図１の容器と共通する部分の構造、サイズは、該図１の容器と同じであった。
【００５３】
その結果、液体流出口（５）から薬液（３）を１滴落下させ、すぐに、容器（１）を立てて、液体流出口（５）から突出する液滴（14）の様子を観察する試験では、液滴（14）は、突出部（６）内には引き込まれず、突出部（６）の外壁を伝って流下して液ダレした。これは、同試験を５回繰り返しても、同じであった。
【００５４】
また、液体充填用容器（１）を４℃の冷蔵庫に収納し、取り出した後放置して液ダレが生じるかどうかを観察する試験でも、液ダレが確認された。この結果も、同試験を５回繰り返しても同じ結果であった。
【００５５】
実施例２
実施例１で使用したものと同じ液体充填用容器（１）において、その液溜め室（10）内の上壁と復動部材（11）の上面との間に、上下方向に伸縮する弾発体としてコイルばね（15）を介設し、その胴部内空部（７）に、該実施例１で使用したものと同じアクリル系重合性単量体を主成分とする液体からなる歯科用接着剤をほぼ一杯に充填した。
【００５６】
２５℃の室内下において、上記液体充填用容器（１）の胴部（２）を手で挟持し、突出部（６）の先端を下方に向けた後、該胴部（２）を押圧して圧縮し、液体流出口（５）から薬液（３）を１滴落下させた。落下後において、液体流出口（５）には、余剰の薬液の液滴（14）が突出していた。この状態で挟持する指の力を緩めると突出していた液滴（14）は突出部内に引き込まれた。さらに、数分間このままの状態で放置しても再び薬液の液滴が突出部外に出てくることはなかった。同様の試験を5回繰り返したが、何れの場合も同じ結果であった。
【００５７】
他方、液溜め室（10）内にコイルばね（15）を設けていない液体充填容器（１）を用いて同様の実験を実施した場合、液体流出口（５）から薬液（３）を１滴落下させ、そのままの状態で挟持する指の力を緩めると突出していた液滴（14）は突出部内に引き込まれたが、さらに数分間このままの状態で放置すると、再び薬液が突出部外に出てきて、液ダレを生じた。この結果は、同じ試験を5回繰り返しても全て同じであった。
【００５８】
次に、上記試験後、液体充填用容器（１）を傾斜させた状態で４℃の冷蔵庫に１時間収納したが、薬液の漏出は認められなかった。その後、２５℃の室内に取り出し、直後に、傾斜させたままの状態で胴部（２）を押圧して圧縮し、液体流出口（５）から薬液（３）を1滴落下させ、突出部（６）の先端をティッシュペーパーにより拭いて余剰の薬滴（14）を除去した。次いで、容器（１）を立てた状態で台上に１時間放置し、この期間に突出部（６）の先端に液ダレが生じるか観察したところ、液ダレは全く生じなかった。同様の実験を５回繰り返したが、いずれの場合も、液ダレが生じない結果であった。
【００５９】
他方、（10）内にコイルばね（15）を設けていない液体充填容器（１）を用いて、同様に傾斜させた状態で４℃の冷蔵庫に１時間収納したところ、僅かながら薬液の漏出が認められた。その後、同様に、２５℃の室内に取り出し、直後に、傾斜させたままの状態で胴部（２）を押圧すると、既に、液溜め室（10）内に薬液（３）が充満しているため、薬液（３）は僅かな応力で１滴落下させることができた。この状態で、突出部（６）の先端をティッシュペーパーにより拭いて余剰の薬滴（14）を除去した。次いで、容器（１）を立てた状態で台上に１時間放置したところ、再び薬液が突出部外に出てきて、液ダレを生じた。この結果は、同じ試験を5回繰り返しても全て同じであった。
【図面の簡単な説明】
【００６０】
【図１】本発明の代表的態様の液体充填用容器を示す縦断面図である。
【図２】図１の液体充填用容器において、胴部を押圧して液体流出口から薬液を流出させた際の容器内部の動作を示す、突出部近傍の拡大縦断面図である。
【図３】図１の液体充填用容器において、胴部の押圧を止め、液体流出口からの薬液の流出を停止した際の容器内部の動作を示す、突出部近傍の拡大縦断面図である。
【図４】本発明の別の態様の液体充填用容器を示す縦断面図である。
【図５】図４の液体充填用容器において、胴部を押圧して液体流出口から薬液を流出させた際の容器内部の動作を示す、突出部近傍の拡大縦断面図である。
【図６】図１の液体充填用容器において、胴部の押圧を止め、液体流出口からの薬液の流出を停止した際の容器内部の動作を示す、突出部近傍の拡大縦断面図である。
【図７】従来の液体充填用容器を示す縦断面図である。
【符号の説明】
【００６１】
１；液体充填用容器
２；胴部
３；薬液
４；ネック部
５；液体流出口
６；突出部
７；胴部内空部
８；液体流通路
８ａ；液体流通下方路
８ｂ；液体流通上方路
９；閉塞部材
１０；液溜め室
１１；復動部材
１２；支持棒部
１３；液体流通用溝
１４；液滴
１５；弾発体（コイルばね）
【図１】
2005138900.tif 000003
【図２】
2005138900.tif 000004
【図３】
2005138900.tif 000005
【図４】
2005138900.tif 000006
【図５】
2005138900.tif 000007
【図６】
2005138900.tif 000008
【図７】
2005138900.tif 000009